(57)【要約】【課題】浴槽の外面側に形成される閉鎖空間が多湿環境化するのを防止する。【解決手段】浴槽底部１ａに設けた排水口２と下地材１０の副排水口４とを浴槽排水管３で接続する。洗い場床部２０領域の主排水口６に設けた主トラップ部材７と、副排水口４に設けた副トラップ部材５とを連通管９で通水可能に連絡する。副トラップ部材５に浴槽排水管３を接続する蓋部材４は、通水孔を全く持たない構造とする。これにより、副トラップ部材５内に貯留される封水１２と浴槽１外面の閉鎖空間Ｃとの間で通水・通気を生じさせない。従って、浴槽１から排出される湯水の水蒸気で閉鎖空間Ｃが多湿環境化するのを確実に防止出来る。副トラップ部材５は浴槽排水口２を開いたときに悪臭が逆流するのを防止する。【選択図】      図２
2005240337.tif 000002
【特許請求の範囲】
【請求項１】
浴槽の少なくとも底部を含む外面と、この浴槽が設置される防水パン等の下地材との間に形成される閉鎖空間内において、浴槽底部に形成された浴槽排水口と前記下地材に形成された副排水口とが浴槽排水管で連絡され、洗い場に形成され主排水管が接続される主排水口に設けた主トラップ部材と、前記副排水口に設けた副トラップ部材とが、連通管で連絡されてなる排水構造であって、前記浴槽排水口から排出される浴槽水の流路が、前記閉鎖空間に連通する開口部を持たないように構成したことを特徴とする浴槽排水構造。
【請求項２】
前記主排水口から流出する水の一部が、前記主トラップ部材を介し、前記副トラップ部材内の水封部へ供給されるように構成されている請求項１に記載の浴槽排水構造。
【発明の詳細な説明】
【技術分野】
【０００１】
本発明は、浴室に設置した浴槽の下面側に形成される閉鎖空間が、多湿環境になるのを防止するための技術に関する。
【背景技術】
【０００２】
特許文献１に、防水パン上に据え置かれた浴槽の水を排出する排水構造として、防水パンに浴槽パントラップを設け、この浴槽パントラップと浴槽排水口とを浴槽排水管で接続する。そして、浴槽パントラップと、洗い場の排水口に設けた洗い場パントラップとを、排水管で接続する構造が提案されている。
【０００３】
なお特許文献１に記載される排水構造では、浴槽パントラップの流入開口部に、浴槽排水管を接続するための蓋部材が装着されている。そして、この蓋部材に、浴槽の下面側において防水パン上を流れる水を浴槽パントラップへ流出させるための通水孔が多数形成されている。
【特許文献１】特開２００３−２５３７２２公報
【発明の開示】
【発明が解決しようとする課題】
【０００４】
特許文献１に記載される浴槽の排水構造にあっては、浴槽パントラップの蓋部材が多数の通水孔を有しているので、浴槽パントラップに貯留される封水から蒸発した水蒸気が、上記通水孔を通って、浴槽の底部下面と防水パンとの間の閉鎖された空間へ蒸散する。特に、排出する湯の温度が高いときは、上記閉鎖空間に多量の湯気がこもる場合がある。その結果、上記閉鎖空間が多湿環境になり、黴の発生や雑菌の繁殖を招くおそれがあった。
【課題を解決するための手段】
【０００５】
前記従来の問題点に鑑み、本発明が採用する浴室排水構造の特徴とするところは、浴槽の少なくとも底部を含む外面と、この浴槽が設置される防水パン等の下地材との間に形成される閉鎖空間内において、浴槽底部に形成された浴槽排水口と、前記下地材に形成された副排水口とが、浴槽排水管で連絡され、洗い場に形成され主排水管が接続される主排水口に設けた主トラップ部材と、前記副排水口に設けた副トラップ部材とが、連通管で連絡され、前記浴槽排水口から排出される浴槽水の流路が、前記閉鎖空間に連通する開口部を持たないように構成したことである。
【０００６】
なお、前記浴槽排水構造において、前記主排水口から流出する水の一部が、前記主トラップ部材を介し、前記副トラップ部材内の水封部へ供給されるように構成することが望ましい。
【発明の効果】
【０００７】
本発明の請求項１に係る浴槽排水構造は、浴槽排水口から排出される浴槽水の流路を、浴槽の底部外面と防水パン等の下地材との間に形成される閉鎖空間に連通させないように構成したので、当該閉鎖空間内へ、浴槽からの排水が流入することがないのは勿論、副トラップ部材に貯留される封水の水蒸気が浸入することもない。よって上記閉鎖空間が多湿環境化するのが阻止され、黴が発生したり雑菌が繁殖したりするのが防止される。
【０００８】
また、洗い場の主排水口だけでなく、下地材に形成される副排水口にもトラップ部材を設けたので、浴槽排水口から浴槽内への臭気の逆流が防止される。さらに、主排水口の主トラップ部材と副排水口の副トラップ部材とを連通管で連通させたので、主トラップ部材内に水封部を形成するための水を、浴槽排水によって供給することができる。
【０００９】
本発明の請求項２に係る浴槽排水構造によれば、主排水口から流出する水の一部が、主トラップ部材を介し、副トラップ部材内の水封部へ供給されるように構成した。つまり、排水流路の二次側に位置する主トラップ部材から、一次側に位置する副トラップ部材への水の逆流を許容するように構成した。よって、浴槽の排水が長期間行われなくても、洗い場での排水があれば、副トラップ部材内へ水が補給されるから、封水切れを確実に防止することができる。
【発明を実施するための最良の形態】
【００１０】
図１は、本発明に係る排水構造が適用される浴槽の施工状況を例示する図面である。同図に示す如く、基礎１に設置した防水パン等下地材１０上に浴槽１が据え置かれ、該浴槽１の前面側にはエプロン３０が装着され、後方部は、躯体壁面Ｗまたは壁仕上げ材４０が取り付けられる壁下地材４１によって閉塞されている。従って、浴槽底部１ａの下面を含む浴槽外面と、下地材１０との間の空間は、エプロン３０と、躯体壁面Ｗ又は壁下地材４１とによって区画された実質的な閉鎖空間Ｃとなっている。
【００１１】
浴槽１の底部１ａに設けられた排水口２には浴槽排水管３の一端が接続され、該浴槽排水管３の他端は、下地材１０に設けられた副排水口４に接続されている。この副排水口４には、水封を形成するための副トラップ部材５が取り付けられている。また本例の下地材１０は、洗い場床部２０を構築する領域を有するものであって、同領域に、洗い場床部２０に流された水を排出するための主排水口６が形成され、この主排水口６に水封形成用の主トラップ部材７が設けられている。そして、主トラップ部材７には、主排水管８が接続されると共に、前記副トラップ部材５と通水可能に連絡するための連通管９が接続されている。
【００１２】
図２に示す如く、副トラップ部材５に、浴槽排水管３を接続するため、副排水口４には蓋部材１１が装着される。本発明は、この蓋部材１１を、従来の目皿とは異なり、通水孔等の開孔を全く持たない構造とし、副トラップ部材５内に貯留される封水１２と、浴槽１外面の前記閉鎖空間Ｃとの間で、通水・通気を生じさせない構成とした。従って、浴槽１から排出される湯水の水蒸気が、前記閉鎖空間Ｃ内へ蒸散することが決してないので、この閉鎖空間Ｃが多湿環境化するのを確実に防止することが出来る。
【００１３】
また、副排水口４に設けた副トラップ部材５は、浴槽排水口２に装着した栓体１ｂを開いたときに、排水管から悪臭が浴槽１内へ逆流するのを防止する機能を発揮する。
【００１４】
ところで前記閉鎖空間Ｃに、所望に応じ、例えば外気や換気扇と連絡する通気路を設けるなどの換気構造を備え付けることができる。閉鎖空間Ｃ内へ予期しない水の浸入があった場合、この水を換気構造によって自然乾燥させることができる。前記閉鎖空間Ｃが上述のような換気構造を持たない場合は、浴槽１と躯体壁面Ｗ又は壁下地材４１との当接部、エプロン３０の浴槽１に対する装着部、エプロン３０と洗い場床部２０との接合箇所等、閉鎖空間Ｃ内へ水が浸入する可能性のある箇所をシーリング材等で完全に封止し、閉鎖空間Ｃを浸水不可能な密閉空間とすることが望ましい。
【００１５】
本発明は、副トラップ部材５と主トラップ部材７とを連通管９で連絡する構成を採用したから、浴槽１からの排水によって、副トラップ部材５の封水１２及び主トラップ部材７の封水１３に水を補給することができる。しかも本例では、主トラップ部材７における主排水管８が接続される流出口７ｂの下端レベル７ｃを、連通管９の上端レベル９ａより低くならないよう設定したので、主トラップ部材７に貯留される封水１３が、副トラップ部材５内へ流動することが出来る。従って、浴槽１からの排水が長期間行われなかったとしても、洗い場における排水があれば、副トラップ部材５の封水への水の補給がなされるから、封水切れを回避することが可能である。
【００１６】
なお本例では、流出口７ｂの下端レベル７ｃと、連通管９の上端レベル９ａとをほぼ一致させたので、副トラップ部材５の封水１２の水位があまり高くならないように出来、その結果、副トラップ部材５のコンパクト化を図れる。また主トラップ部材７の底部レベル７ａを、副トラップ部材５の底部レベル５ａ以下となるように設定したから、主トラップ部材７の封水が優先して確保され、主排水管８から洗い場への悪臭の逆流を防止する。
【図面の簡単な説明】
【００１７】
【図１】本発明に係る排水構造が適用される浴槽の施工状況の一例を示す側面断面図である。
【図２】本発明に係る浴槽排水構造の一実施形態を示す側面断面図である。
【符号の説明】
【００１８】
Ｃ…閉鎖空間  Ｆ…基礎  Ｗ…躯体壁面  １…浴槽  １ａ…浴槽底部  ２…浴槽排水口  ３…浴槽排水管  ４…副排水口    ５…副トラップ部材  ５ａ…底部レベル  ６…主排水口  ７…主トラップ部材  ７ａ…底部レベル  ７ｂ…流出口  ７ｃ…下端レベル  ８…主排水管  ９…連通管  １０…下地材
【図１】
2005240337.tif 000003
【図２】
2005240337.tif 000004